(57)【特許請求の範囲】
【請求項１】
固体材料と液体の混合物を収容する容器と、
前記容器内の前記混合物を加圧する加圧装置と、
前記容器内の前記混合物を加熱する加熱装置と、
前記容器内の前記混合物を前記液体の沸点が前記固体材料の融点以上となる圧力に加圧し、加圧状態の前記液体の沸点より低く前記固体材料の融点以上の温度に加熱して、前記固体材料が前記液体中で溶融した溶融混合物を生成するように前記加圧装置及び前記加熱装置を制御する制御装置と、
前記容器内の前記溶融混合物を撹拌する撹拌装置と、
前記容器内の前記溶融混合物を前記容器外に噴霧する噴霧装置と、
前記噴霧装置により前記溶融混合物が噴霧され、前記固体材料が粒子化されて形成された固体粒子を回収する回収装置と、
を備えることを特徴とする固体粒子の製造装置。
【請求項２】
前記噴霧装置は、前記容器内の前記溶融混合物を前記容器外に噴出する噴出口を有しており、
前記回収装置は、前記噴出口が開口する内壁を有する回収容器と、前記回収容器内を減圧する減圧装置とを具備していることを特徴とする請求項１記載の固体粒子の製造装置。
【請求項３】
前記回収装置は、前記回収容器内の温度を低下させる冷却装置を具備していることを特徴とする請求項２記載の固体粒子の製造装置。
【請求項４】
前記固体材料はハンダであり、前記液体は水であることを特徴とする請求項１〜３のいずれかに記載の固体粒子の製造装置。
【請求項５】
固体材料と液体の混合物を前記液体の沸点が前記固体材料の融点以上となる圧力に加圧し、加圧状態の前記液体の沸点より低く前記固体材料の融点以上の温度に加熱して、前記固体材料が前記液体中で溶融した溶融混合物を生成し、
生成した前記溶融混合物を撹拌して前記溶融混合物中の前記固体材料をせん断し、
撹拌された前記溶融混合物を噴霧し、前記固体材料を粒子化して固体粒子を形成し、
形成した前記固体粒子を回収することを特徴とする固体粒子の製造方法。
【請求項６】
前記溶融混合物を大気圧より低い減圧雰囲気下に噴霧することを特徴とする請求項５記載の固体粒子の製造方法。
【請求項７】
前記溶融混合物を常温より低い低温雰囲気下に噴霧することを特徴とする請求項６記載の固体粒子の製造方法。
【請求項８】
前記固体材料はハンダであり、前記液体は水であることを特徴とする請求項５〜７のいずれかに記載の固体粒子の製造方法。
【発明の詳細な説明】
【技術分野】
【０００１】
本発明は、固体粒子を製造する固体粒子の製造装置及び固体粒子の製造方法に関する。
【背景技術】
【０００２】
固体粒子の一つである金属粒子の製造方法としては、金属ブロックを機械的に粉砕して金属粒子を製造する粉砕法や金属溶湯流に水を吹き付けて金属粒子を製造する水アトマイズ法、金属溶湯流にガスを吹き付けて金属粒子を製造するガスアトマイズ法などの様々な方法が提案されている（例えば、特許文献１参照）。
【０００３】
また、前述の金属粒子としては、例えば、ハンダボールが挙げられる。近年、ハンダボールは、ＢＧＡ（Ball Grid Array）の小型高密度実装技術の進化により、百マイクロメートル前後の小サイズになっている。今後さらにボールサイズが数マイクロメートル以下に小さくなると、このようなハンダボールを含む塗布液をインクジェット方式の塗布ヘッドで吐出させることが可能になる。このため、その用途は大幅に増えると予想され、数マイクロメートル以下のサイズのハンダボール（マイクロハンダボール）が求められている。
【先行技術文献】
【特許文献】
【０００４】
【特許文献１】特開平１１−３２３４１１号公報
【発明の概要】
【発明が解決しようとする課題】
【０００５】
しかしながら、前述の金属粒子の製造では、数マイクロメートル以下のサイズの微細な金属粒子を製造することは困難である。このため、より微細な固体粒子を得ることは難しい。
【０００６】
本発明は上記を鑑みてなされたものであり、その目的は、より微細な固体粒子を得ることができる固体粒子の製造装置及び固体粒子の製造方法を提供することである。
【課題を解決するための手段】
【０００７】
本発明の実施形態に係る固体粒子の製造装置は、
固体材料と液体の混合物を収容する容器と、
前記容器内の前記混合物を加圧する加圧装置と、
前記容器内の前記混合物を加熱する加熱装置と、
前記容器内の前記混合物を前記液体の沸点が前記固体材料の融点以上となる圧力に加圧し、加圧状態の前記液体の沸点より低く前記固体材料の融点以上の温度に加熱して、前記固体材料が前記液体中で溶融した溶融混合物を生成するように前記加圧装置及び前記加熱装置を制御する制御装置と、
前記容器内の前記溶融混合物を撹拌する撹拌装置と、
前記容器内の前記溶融混合物を前記容器外に噴霧する噴霧装置と、
前記噴霧装置により前記溶融混合物が噴霧され、前記固体材料が粒子化されて形成された固体粒子を回収する回収装置と、
を備える。
【０００８】
本発明の実施形態に係る固体粒子の製造方法は、固体材料と液体の混合物を前記液体の沸点が前記固体材料の融点以上となる圧力に加圧し、加圧状態の前記液体の沸点より低く前記固体材料の融点以上の温度に加熱して、前記固体材料が前記液体中で溶融した溶融混合物を生成し、
生成した前記溶融混合物を撹拌して前記溶融混合物中の前記固体材料をせん断し、
撹拌された前記溶融混合物を噴霧し、前記固体材料を粒子化して固体粒子を形成し、
形成した前記固体粒子を回収する。
【発明の効果】
【００１０】
本発明によれば、より微細な固体粒子を得ることができる。
【図面の簡単な説明】
【００１１】
【図１】本発明の第１の実施形態に係る固体粒子の製造装置の概略構成を示す図である。
【図２】図１に示す製造装置が行う固体粒子の製造処理の流れを示すフローチャートである。
【図３】本発明の第２の実施形態に係る固体粒子の製造装置の概略構成を示す図である。
【発明を実施するための形態】
【００１２】
（第１の実施形態）
本発明の第１の実施形態について図１及び図２を参照して説明する。
【００１３】
図１に示すように、本発明の第１の実施形態に係る固体粒子の製造装置１は、固体材料と液体の混合物を収容する容器２と、その容器２内の混合物を加圧する加圧装置３と、容器２内の混合物を加熱する加熱装置４と、容器２内の混合物を撹拌する撹拌装置５と、容器２内の溶融混合物を容器２外に噴霧する噴霧装置６と、その噴霧装置６の噴霧により生じる複数の固体粒子を回収する回収装置７と、各部を制御する制御装置８とを備えている。
【００１４】
容器２は、箱形状に形成されており、固体材料と液体の混合物を収容する。例えば、固体材料としては低温ハンダ（例えば液相温度１４１℃）が用いられ、液体としては水が用いられる。
【００１５】
加圧装置３は、加圧ポンプ（図示せず）などを備えており、チューブやパイプなどの加圧経路３ａにより容器２に接続されており、容器２内の混合物に対して加圧を行う。この加圧装置３は制御装置８に電気的に接続されており、その駆動が制御装置８により制御される。加圧装置３の加圧力は制御装置８が加圧ポンプに対する印加電圧などを変更することで調整可能である。
【００１６】
加熱装置４は、ヒータ（図示せず）などを備えており、容器２内の混合物に対して加熱を行う。この加熱装置４は制御装置８に電気的に接続されており、その駆動が制御装置８により制御される。加熱装置４の加熱温度は制御装置８がヒータに対する印加電圧などを変更することで調整可能である。なお、制御装置８は、容器２内あるいは容器２の外面に設けた温度計（図示せず）を用いてフィードバック制御により加熱温度を設定された温度で一定に保持することが可能である。
【００１７】
撹拌装置５は、容器２内に設けられたブラシ状の回転部５ａと、その回転部５ａを支持する回転軸５ｂと、その回転軸５ｂを回転させるモータなどの駆動部５ｃとを備えている。駆動部５ｃは制御装置８に電気的に接続されており、その駆動が制御装置８により制御される。この撹拌装置５は、駆動部５ｃにより回転軸５ｂを介して回転部５ａを回転させ、容器２内の混合物を撹拌する。撹拌装置５の撹拌力は制御装置８が駆動部５ｃに対する印加電圧などを変更することで調整可能である。なお、回転部５ａとしては、ブラシ状の回転部以外にも、スクリュー状やプロペラ状、クシ状、板状などの回転部を用いることが可能である。また、撹拌装置５としては、容器２内の混合物に超音波振動などの振動を与える振動装置を用いても良い。
【００１８】
噴霧装置６は、溶融混合物を噴出する噴出口６ａを有しており、溶融混合物が流れるチューブやパイプなどの噴出経路６ｂにより容器２に接続されており、回収装置７に対して噴出口６ａから溶融混合物を噴霧する。噴出経路６ｂの途中には、電磁弁などの調整弁６ｃが設けられている。この調整弁６ｃは制御装置８に電気的に接続されており、その駆動が制御装置８により制御される。制御装置８は調整弁６ｃの開度を制御し、噴霧の開始や停止、さらには噴霧力の調整を行うことが可能である。
【００１９】
また、噴出経路６ｂであるチューブやパイプなどの外周には、ヒータ６ｄが巻かれている。このヒータ６ｄも制御装置８に電気的に接続されており、その駆動が制御装置８により制御される。ヒータ６ｄの加熱温度は制御装置８がヒータ６ｄに対する印加電圧などを変更することで調整可能である。制御装置８は、前述の加熱装置４の加熱温度と同じ温度になるようにヒータ６ｄの加熱温度を設定された温度で一定に保持する。
【００２０】
回収装置７は、分散液を収容する回収容器１１と、その回収容器１１内を減圧する減圧装置１２と、回収容器１１内の温度を低下させる冷却装置１３と、回収容器１１内の分散液を撹拌する撹拌装置１４と、回収容器１１内に分散液を供給する液供給部１５と、多数の固体粒子を含む分散液である塗布液を貯留する貯留部１６とを備えている。
【００２１】
回収容器１１は、箱形状に形成されており、噴霧装置６の噴出口６ａが開口する内壁を有している。この回収容器１１は分散液を収容しており、その分散液上に噴霧用の空間を有している。したがって、噴霧装置６の噴出口６ａは側壁の上側に設けられている。なお、噴霧装置６の噴出口６ａは天井壁などに設けられても良い。
【００２２】
減圧装置１２は、排気ポンプ（図示せず）などを備えており、気体が流れるチューブやパイプなどの排気経路１２ａにより回収容器１１に接続されており、回収容器１１内の気体を排気して減圧を行う。この減圧装置１２は制御装置８に電気的に接続されており、その駆動が制御装置８により制御される。減圧装置１２の減圧力は制御装置８が排気ポンプに対する印加電圧などを変更することで調整可能である。
【００２３】
冷却装置１３は、ペルチェ素子あるいは熱交換器や圧縮機などを備えており、回収容器１１内を冷却する。この冷却装置１３は制御装置８に電気的に接続されており、その駆動が制御装置８により制御される。冷却装置１３の冷却温度は制御装置８が冷却装置１３に対する印加電圧や制御信号などを変更することで調整可能である。制御装置８は、回収容器１１内あるいは回収容器１１の外面に設けた温度計（図示せず）を用いてフィードバック制御により冷却温度を設定された温度で一定に保持することが可能である。
【００２４】
撹拌装置１４は、回収容器１１内の分散液に超音波振動などの振動を与える振動装置である。この撹拌装置１４は、制御装置８に電気的に接続されており、その駆動が制御装置８により制御される。撹拌装置１４の撹拌力は制御装置８が撹拌装置１４に対する印加電圧などを変更することで調整可能である。なお、撹拌装置１４としては、容器２内の分散液をかき回すブラシ状やスクリュー状、プロペラ状、クシ状、板状などの回転部を用いても良い。
【００２５】
液供給部１５は、分散液を貯留するタンクや供給ポンプ（図示せず）などを備えており、分散液が流れるチューブやパイプなどの供給経路１５ａにより回収容器１１に接続されており、その回収容器１１内に分散液を供給する。この液供給部１５の供給ポンプは制御装置８に電気的に接続されており、その駆動が制御装置８により制御される。分散液としては、例えば、水や油、フラックスなどが用いられる。また、界面活性剤を含む分散液が用いられても良い。
【００２６】
貯留部１６は、塗布液が流れるチューブやパイプなどの排出経路１６ａにより回収容器１１に接続されており、その回収容器１１内から多数の固体粒子を含む分散液である塗布液を回収して収容する。排出経路１６ａの途中には、電磁弁などの開閉弁１６ｂが設けられている。この開閉弁１６ｂは制御装置８に電気的に接続されており、その駆動が制御装置８により制御される。制御装置８は開閉弁１６ｂの開閉を制御して回収の開始や停止を行うことが可能である。
【００２７】
制御装置８は、各部を集中的に制御するマイクロコンピュータ、さらに、各種情報や各種プログラムなどを記憶する記憶部、操作者からの操作を受け付ける操作部（いずれも図示せず）を備えている。各種情報には、制御用の各種情報が含まれており、制御用の各種情報としては、例えば、加圧装置３用の加圧値や加熱装置４用の加熱温度、撹拌装置５用の撹拌速度、減圧装置１２用の減圧値、冷却装置１３用の冷却温度、撹拌装置１４用の振動度などの情報が予め設定されている。
【００２８】
次に、前述の製造装置１が行う固体粒子の製造動作（製造方法）について説明する。なお、製造装置１の制御装置８が各種プログラム及び各種情報に基づいて固体粒子の製造処理を実行する。なお、分散液は液供給部１５により回収容器１１内に予め供給されている。
【００２９】
図２に示すように、制御装置８は、加圧装置３及び加熱装置４を制御し、容器２内の混合物を液体の沸点が固体材料の融点以上となる圧力に加圧し、その後、加圧状態の液体の沸点より低く固体材料の融点以上の温度に加熱して、固体材料が液体中で溶融した溶融混合物を生成する（ステップＳ１）。例えば、液相温度が１４１℃の低温ハンダを固体材料として用い水を液体として用いた場合には、容器２内の圧力を４．５気圧程度に加圧することで、沸点が１５０℃程度となるので、水の沸点を低温ハンダの融点より高くすることが可能である。
【００３０】
これにより、まず、容器２内の混合物は加圧装置３により液体の沸点が固体材料の融点以上となる圧力に加圧され、その後、加圧状態の混合物が加熱装置４により加圧状態の液体の沸点より低く固体材料の融点以上の温度に加熱される。このため、容器２内の混合物は、液体が蒸発（沸騰）せずに固体材料が液体中で溶融した溶融混合物となる。
【００３１】
また、制御装置８は、撹拌装置５を制御し、容器２内の溶融混合物を撹拌する（ステップＳ２）。これにより、容器２内の溶融混合物は撹拌装置５により撹拌され、溶融混合物中の溶融状態の固体材料は粒状にせん断され、微小な液滴として液体中に分散される。したがって、容器２内の溶融混合物は、多数の液滴状態の固体材料が液体中に存在する溶融混合物となる。
【００３２】
その後、制御装置８は、調整弁６ｃを開け、噴霧装置６により容器２内の溶融混合物、すなわち多数の液滴状態の固体材料を含む溶融混合物を容器２外、すなわち回収装置７の回収容器１１内に噴霧し（ステップＳ３）、その噴霧により生成される複数の固体粒子を回収容器１１により回収する（ステップＳ４）。
【００３３】
これにより、まず、多数の液滴状態の固体材料を含む溶融混合物は噴霧装置６の噴出口６ａから回収容器１１の空間に霧状に噴出され、多数の溶融混合物粒となる。個々の溶融混合物粒中に含まれる多数の液滴状態の固体材料は液体の蒸発によりさらに微細化され、最終的に多数の微細な固体粒子となる（詳しくは、後述する）。その後、各固体粒子は重力により回収容器１１内の分散液中に落下し、回収容器１１内に回収される。
【００３４】
前述の噴霧では、溶融混合物中の多数の液滴状態の固体材料は容器２外に噴霧されることによってさらに微細化されている。詳述すると、溶融混合物は容器２外に放出されることで加圧装置３による加圧から開放される。溶融混合物が加圧から開放されると、その周囲の雰囲気の圧力が低下するので、加圧装置３による加圧によって沸点が上げられていた溶融混合物中の液体の沸点が下がる。溶融混合物中の液体は沸点を上げることで蒸発が抑えられていたが、沸点（圧力）が下がったことにより急激に蒸発する。
【００３５】
したがって、噴霧によって粒化された個々の溶融混合物粒中にも液体が含まれるので、この液体が蒸発することによる急激な体積膨張によって溶融混合物粒が粉砕されてさらに細かく粒化され、微小な固体材料の粒（液体が気化したので固体材料だけとなる）となる。このとき、液体が蒸発するときの気化熱によって溶融状態の固体材料は熱を奪われて固化し、固体粒子となる。固体材料の粒同士は気化熱によって固化するので、粉砕後に接触したとしても一体になることは防止される。このようにして、噴霧のみによる微細化以上に細かい固体粒子を得ることができる。
【００３６】
その後、制御装置８は、所定のタイミングで開閉弁１６ｂを開き、多数の固体粒子を含む分散液である塗布液を回収する（ステップＳ５）。これにより、回収容器１１内の多数の固体粒子を含む分散液が回収容器１１から排出経路１６ａを介して貯留部１６に回収され、塗布液として用いられることになる。この塗布液を用いる塗布装置としては、例えば、インクジェット塗布装置やディスペンサ塗布装置、印刷装置などが挙げられる。このような塗布装置により塗布液が塗布対象物上に所定の塗布パターンで塗布される。なお、回収容器１１内の分散液が塗布液として貯留部１６により回収されて無くなると、制御装置８は、液供給部１５を制御し、回収容器１１内に分散液を所定量だけ供給する。
【００３７】
このような固体粒子の製造工程において、制御装置８は、撹拌装置１４を制御し、回収容器１１内の分散液を例えば常時あるいは噴射前から撹拌する。これにより、回収容器１１内の分散液は撹拌され、分散液中の多数の固体粒子は互いに付着することがなく、分散液中にほぼ均一に分散されるので、所望の濃度の塗布液を確実に生成することができる。
【００３８】
また、制御装置８は、噴出経路６ｂを加熱するヒータ６ｄを制御し、そのヒータ６ｄの加熱温度を前述の加熱装置４の加熱温度と同じ温度になるように一定に保持する。これにより、溶融混合物が噴出経路６ｂを通過する最中に溶融混合物中の固体材料が固化してしまうことを防止することができる。そのため、ヒータ６ｄは噴出経路６ｂの全長にわたって覆うように設けられることがより好ましい。
【００３９】
また、制御装置８は、噴霧装置６による溶融混合物の噴霧前、減圧装置１２を制御し、回収装置７の回収容器１１内を減圧して所定圧（大気圧より低い圧）に維持する。これにより、回収容器１１内は減圧されて大気圧より低い減圧雰囲気になる。さらに、制御装置８は、噴霧前に冷却装置１３を制御し、回収容器１１内の温度を低下させて所定温度（常温よりも低い温度）に維持する。これにより、回収容器１１内の温度が低下し、回収容器１１内は常温（熱したり冷やしたりしない自然な温度）より低い低温雰囲気となる。
【００４０】
したがって、溶融混合物は減圧雰囲気であって低温雰囲気中に噴霧されるため、回収容器１１内に噴霧された溶融混合物中の液体の沸点は下がることになり、また、回収容器１１内の温度が常温より低いため、回収容器１１内が常温常圧の通常雰囲気中である場合に比べ、回収容器１１内に噴霧された溶融混合物中の固体材料を急冷することができる。ただし、必ずしも回収容器１１内を減圧したり、回収容器１１内の温度を低下させたりする必要はなく、常温常圧の通常雰囲気のままでも良い。
【００４１】
さらに、加熱された液体の噴霧直前の沸点（加圧状態の液体の沸点）よりも沸点が下がれば良いので、減圧雰囲気や常圧雰囲気だけではなく、容器２内の圧力よりも低い加圧雰囲気としても良い。ただし、容器２内の圧力に対して回収容器１１内の圧力が低ければ低いほど、沸点が急激に下がることになるので、液体のより激しい蒸発を生じさせることができ、これによる固体材料のより細かな微細化が期待できるため好ましい。
【００４２】
以上説明したように、本発明の第１の実施形態によれば、固体材料と液体の混合物を液体の沸点が固体材料の融点以上となる圧力に加圧し、さらに、加圧状態の液体の沸点より低く固体材料の融点以上の温度に加熱して、固体材料が液体中で溶融した溶融混合物を生成し、生成した溶融混合物を噴霧することによって、溶融混合物が粒状となって多数の溶融混合物粒となり、加えて、それらの溶融混合物粒は各々含有する液体の蒸発によりさらに細かく粒化され、最後に多数の微細な固体粒子だけとなる。これにより、数マイクロメートルのサイズより微細な固体粒子を得ることができる。
【００４３】
また、容器２内の溶融混合物を撹拌することによって、溶融混合物中の溶融状態の固体材料は粒状にせん断され、微小な液滴として液体中に分散される。これにより、多数の液滴状態の固体材料を含む溶融混合物が容器２外に噴射され、噴射により生成される多数の溶融混合物粒中の個々に複数の液滴状態の固体材料が存在することになる。したがって、それらの溶融混合物粒中の複数の液滴状態の固体材料は液体の蒸発によりさらに細かく粒化されるので、より微細な固体粒子を確実に得ることができる。ただし、必ずしも容器２内の溶融混合物を撹拌する必要はなく、撹拌しない状態のままでも良い。
【００４４】
また、噴霧装置６の噴出口６ａが開口する内壁を有する回収容器１１内を減圧することによって、溶融混合物は大気圧（１気圧）より低い減圧雰囲気中に噴霧されるため、回収容器１１内に噴霧された溶融混合物中の液体の沸点はより一層下がることになる。これにより、回収容器１１内が常圧の通常雰囲気中である場合に比べ、溶融混合物中の液体が急速に蒸発するので、回収容器１１内に噴霧された溶融混合物中の固体材料を急冷することが可能となる。したがって、固化前の固体材料の粒同士が接触して一体となることを抑止することができ、その結果、より微細な固体粒子を確実に得ることができる。
【００４５】
また、回収容器１１内の温度を常温より低下させることによって、溶融混合物は常温より低い低温雰囲気中に噴霧されることになる。これにより、回収容器１１内が常温の通常雰囲気中である場合に比べ、回収容器１１内の温度が低下しているので、回収容器１１内に噴霧された溶融混合物中の固体材料を急冷することが可能となる。したがって、固化前の固体材料の粒同士が接触して一体となることを抑止することができ、その結果、より微細な固体粒子を確実に得ることができる。
【００４６】
（第２の実施形態）
本発明の第２の実施形態について図３を参照して説明する。
【００４７】
本発明の第２の実施形態は基本的に第１の実施形態と同様である。第２の実施形態では、第１の実施形態との相違点について説明し、第１の実施形態で説明した部分と同一部分は同一符号で示し、その説明も省略する。
【００４８】
図３に示すように、本発明の第２の実施形態に係る固体粒子の製造装置１において、撹拌装置１４は回収容器１１内の分散液を循環させる循環装置である。この撹拌装置１４は、回収容器１１内の分散液を循環させるためのチューブやパイプなどの循環経路１４ａと、その循環経路１４ａに沿って分散液を流す駆動源となるポンプ１４ｂと、分散液の濃度を検出する濃度検出部１４ｃとを備えている。
【００４９】
循環経路１４ａの一端は回収容器１１の底面に接続されており、その他端は回収容器１１の側壁に接続されている。また、ポンプ１４ｂは循環経路１４ａの途中に設けられている。このポンプ１４ｂは制御装置８に電気的に接続されており、その駆動が制御装置８により制御される。濃度検出部１４ｃも制御装置８に接続されており、検出した分散液の濃度を制御装置８に送信する。なお、循環経路１４ａの途中には、排出経路１６ａが接続されている。
【００５０】
この撹拌装置１４は、ポンプ１４ｂにより回収容器１１内の分散液を循環経路１４ａに流し、その循環経路１４ａを介して回収容器１１内に戻して循環させる。これにより、回収容器１１内の分散液が撹拌され、分散液中の多数の固体粒子は回収容器１１内の分散液中にほぼ均一に分散される。撹拌装置１４の撹拌力は制御装置８がポンプ１４ｂに対する印加電圧などを変更することで調整可能である。制御装置８は濃度検出部１４ｃにより検出された分散液の濃度に基づいて、その濃度が所定濃度（制御装置８の記憶部に設定された濃度の許容範囲）となった場合、開閉弁１６ｂを開け、排出経路１６ａを介して所望の濃度で多数の固体粒子を含有する分散液を塗布液として貯留部１６により回収する。
【００５１】
なお、濃度検出部１４ｃにより検出された分散液の濃度が記憶部に設定された濃度の許容範囲よりも大きい場合には、制御装置８によって液供給部１５から分散液を供給するように制御を行うようにしても良い。この場合、液供給部１５からは、一度に予め設定された量ずつ分散液を供給するようにし、その後に濃度検出部１４ｃにより検出された濃度がまだ許容範囲よりも大きい場合に、更に、設定量の分散液を供給するようにしても良い。
【００５２】
以上説明したように、本発明の第２の実施形態によれば、第１の実施形態と同様の効果を得ることができる。さらに、撹拌装置１４として循環装置を用いることによって、回収容器１１内の分散液を確実に撹拌することができる。また、濃度検出部１４ｃを設け、その濃度検出部１４ｃにより検出した分散液の濃度に応じて回収容器１１内の分散液の回収を制御することから、所望の濃度の塗布液を確実に生成して回収することができる。
【００５３】
（他の実施形態）
なお、本発明に係る前述の実施形態は例示であり、発明の範囲はそれらに限定されない。前述の実施形態は種々変更可能であり、例えば、前述の実施形態に示される全構成要素から幾つかの構成要素が削除されても良く、さらに、異なる実施形態に係る構成要素が適宜組み合わされても良い。
【００５４】
前述の実施形態においては、固体材料としてハンダなどの金属材料を用いることが可能であるが、これに限るものではなく、例えば、固体材料として他の金属材料、あるいは樹脂などの高分子材料などを用いることも可能である。なお、他の金属材料としては、液体として水を用いる場合には、融点が水の１気圧下での沸点（１００℃）に近い融点を有するものがより好ましく、例えば、インジウム（融点１５７℃）やリチウム（融点１７９℃）を用いることも可能である。
【００５５】
また、前述の実施形態においては、回収装置７の回収容器１１内では液体が気化するため、その気化した液体（蒸気）を回収して排出するようにしても良く、また、分散液として水を用いる場合には、回収した蒸気を凝縮しその液体を分散液として再利用することも可能である。
【符号の説明】
【００５６】
１    固体粒子の製造装置
２    容器
３    加圧装置
４    加熱装置
５    撹拌装置
６    噴霧装置
６ａ  噴出口
７    回収装置
８    制御装置
１１  回収容器
１２  減圧装置
１３  冷却装置
【図１】
0005768956.tif 000002
【図２】
0005768956.tif 000003
【図３】
0005768956.tif 000004